(57)【特許請求の範囲】
【請求項１】
複写機能，ファクシミリ機能，カラー印刷機能などの複数の機能を有するデジタル複写機において，
前記ファクシミリ機能を使用した際に発生する通信回線使用料を課金するためのテーブルデータを記憶するファクシミリ課金テーブル記憶手段と，
あらかじめ設定した前記複写機能および単色印刷機能用の第１の度数を有し，前記複写機能および単色印刷機能を使用した際に前記第１の度数をカウントし前記カウントした第１の度数に基づいて課金の管理を行う第１の課金管理手段と，
あらかじめ設定した前記カラー印刷機能用の第２の度数を有し，前記カラー印刷機能を使用した際に前記第２の度数をカウントし前記カウントした第２の度数に基づいて課金の管理を行う第２の課金管理手段と，を備え，
前記第１の課金手段は，さらに前記ファクシミリ機能を使用した際に前記ファクシミリ課金テーブル記憶手段が記憶する前記テーブルデータによって通信回線使用料を算出して，算出した通信回線使用料に基づいて課金を管理すること
を特徴とするデジタル複写機。
【請求項２】
請求項１記載のデジタル複写機において，
前記ファクシミリ機能でファクシミリ送信のみを使用した際に前記第１の課金管理手段で課金の管理を行うことを特徴とするデジタル複写機。
【請求項３】
請求項１記載のデジタル複写機において，
前記ファクシミリ機能でファクシミリ受信を使用した際，送信側でカラー印刷が指定されていた場合，前記第２の課金管理手段で課金の管理を行うことを特徴とするデジタル複写機。
【発明の詳細な説明】
【０００１】
【発明の属する技術分野】
本発明は，原稿から画像データを読み取って記録紙に出力する複写機能や，読み取った画像データを通信回線を介してファクシミリ送信するファクシミリ機能等の複数の機能を有したデジタル複写機に関し，より詳細には，複写機能を使用した際の課金管理とファクシミリ機能で通信回線を利用した際に課金管理とをそれぞれ個別に管理するデジタル複写機に関する。
【０００２】
【従来の技術】
従来，デジタル複写機の課金管理を行う方法として，例えば，特開平４−２１６５６６号公報『複写制御装置』に開示されたものがある。以下，従来のデジタル複写機における課金管理ついて，図面を参照して説明する。
【０００３】
図１０は，従来のデジタル複写機を示した構成図である。図示の如く，従来のデジタル複写機は，あらかじめ多用されるサイズの記録紙がセットされ，所定のタイミングで指定のサイズ用紙を供給するための給紙カセット１０１と，記録紙上に転写されたトナー像に圧力をかけてトナーの定着動作を助ける加圧ローラ１０２と，記録紙上に転写されたトナーに熱を加え加圧ローラ１０２からの圧力を受けて熱と圧力とによりトナーの定着動作を行う定着ローラ１０３と，原稿に向けて光を照射し原稿を読み取る第１キャリッジ１０４と，原稿を読み取った際の光を反射させるミラーを内蔵する第２キャリッジ１０５と，トナーを内蔵する現像器１０６と，書き込みするデータを反射させる書き込みミラー１０７と，トナーが上部に飛散してしまった場合スキャナユニット１５０にトナーが上がらないようにするための防塵ガラス１０８と，表面に形成したトナー像を記録紙に転写するための感光体ドラム１０９と，ポリゴンモータ（図示せず）が高速回転することによりレーザダイオード（以下ＬＤと記し，図示せず）が発したレーザ光を感光体ドラム１０９の表面に露光させるためのポリゴンミラー１１０と，ポリゴンミラー１１０の反射面と感光体ドラム１０９の表面との距離を補正し感光体ドラム１０９の中央と端部との間隔を等間隔にするＦθレンズ１１１，１１２と，ポリゴンミラー１１０の動作に応じて感光体ドラム１０９上のレーザ光が副走査方向に変動することを補正するＢＴＬレンズ１１３と，露光に先行して感光体ドラム１０９の表面を帯電させる帯電チャージャ１１４と，第１キャリッジ１０４および第２キャリッジ１０５により露光され原稿を読み取った光の入射角度を変えるレンズ１１５と，第１キャリッジ１０４および第２キャリッジ１０５により原稿を読み取った画像データを一旦電気信号に変換するＣＣＤ（光電変換素子）１１６と，感光体ドラム１０９上に形成されたトナー像のうち転写しきれなかった残存トナーを除去するドラムクリーニングユニット１１７と，手差し用紙を挿入する手差し給紙台１１８と，感光体ドラム１０９上に形成されたトナー像を記録紙に転写するための中間転写ベルト１１９と，トナーの離形成をよくするために中間転写ベルト１１９表面にステアリン酸亜鉛を塗布する潤滑材塗布ブラシ１２０と，記録紙のスキュー修正，または，感光体ドラム１０９上のトナー画像先端と記録紙の先端を一致させるためのレジストローラ１２１と，下から鉛直方向へ給紙を助けるための中間ローラ１２２と，中間転写ベルト１１９内に設置されて記録紙面に感光体ドラム１０９上のトナー像を転写させる転写チャージャ１２３と，中間転写ベルト１１９上に形成されたトナー像を記録紙に転写する紙転写チャージャ１２４と，中間転写ベルト１１９上の未転写残存トナーを除去するためのベルトクリーニングユニット１２５と，転送ファン（図示せず）により記録紙を吸い付けて記録紙を定着ユニット（図示せず）へ送る搬送ベルト１２６と，原稿を載置するコンタクトガラス１２７とから構成されている。
【０００４】
なお，図示の従来のデジタル複写機は，カラー印刷ができるものとしているため，現像器１０６には，ＣＭＹＫ（シアン，マゼンタ，イエロー，ブラック）の４色のトナーを内蔵している。
【０００５】
次に，上記構成において，その動作を説明する。なお，ここでは動作の説明を簡単にするため，モノクロ印刷の場合を例として説明する。
【０００６】
ユーザが原稿をコンタクトガラス１２７上に載置し，デジタル複写機に備えられたコピーボタン（図示せず）を押下すると，第１キャリッジ１０４に備えたランプ（図示せず）が点灯して原稿を露光する。
【０００７】
続いて，露光された光は原稿によって反射され，その反射光が第２キャリッジ１０５およびレンズ１１５を介してＣＣＤ１１６に導かれる。なお，コンタクトガラス１２７上に置かれた原稿を全て読み取ることを可能とするため，第１キャリッジ１０４は副走査方向に移動するものである。
【０００８】
続いて，ＣＣＤ１１６が到達した反射光を光電変換して，電気的なデジタルデータ（画像データ）に変換する。光電変換によって得られた画像データは，色補正処理，γ補正処理，ＭＴＦ補正処理，領域分離処理など，種々の画像処理が施された後，ＬＤにて再び光に変換して発光する。
【０００９】
ＬＤで発光された光は，ポリゴンミラー１１０，Ｆθレンズ１１１，１１２，ＢＴＬレンズ１１３，書き込みミラー１０７，防塵ガラス１０８の各々のデバイスを介して導かれ感光体ドラム１０９を露光する。なお，感光体ドラム１０９表面は，あらかじめ帯電チャージャ１１４によりある一定の電荷に帯電されており，ＬＤからの露光によってその電荷が変化し，静電潜像が形成される。
【００１０】
ここで，感光体ドラム１０９表面の電荷について説明する。例えば，トナーを載せたい部分には露光をＯＮして，感光体ドラム１０９表面の電荷を＋（プラス）に帯電させる。なお，ここでは＋に帯電させているが，−（マイナス）電荷でも良いことは勿論である。このように感光体ドラム１０９の表面の電荷を変化させて電気的に作成した画像が静電潜像である。
【００１１】
感光体ドラム１０９は，コピー動作が開始されると図１０に示す矢印方向に回転を始め，ＬＤからの露光によって＋に帯電された部分が現像器１０６まで到達すると，現像器１０６の中にあらかじめ搭載され，露光させた電荷とは逆の電荷を帯びさせておいたトナー（この場合−電荷を帯びたトナー）が，露光されて＋電荷を帯びた部分に静電気力により付着する。
【００１２】
感光体ドラム１０９がさらに回転し中間転写ベルト１１９まで到達すると，中間転写ベルト１１９は，中間転写チャージャ１２３により，感光体ドラム１０９に帯電してある＋電荷よりも大きな＋電荷を帯電されているため，感光体ドラム１０９上に付着していたトナー（すなわち，トナー像）が中間転写ベルト１１９上に転写される。転写が終わった感光体ドラム１０９は，ドラムクリーニングユニット１１７によって付着している残存トナー（転写しきれなかったトナー）が除去され，次の印刷動作に備える。
【００１３】
続いて，トナー像が転写された記録紙は，搬送ベルト１２６により定着ローラ１０３と加圧ローラ１０２とから構成される定着ユニットまで搬送され，定着ローラ１０３および加圧ローラ１０２により高温および高圧がかけられトナー像を記録紙に融着させて，排紙されて１回のコピー動作が完了する。
【００１４】
なお，カラー印刷の場合には，印刷にＣＭＹＫの４色が必要なため，ＣＭＹＫの４色に応じてスキャナの読み取りを４回行い，現像器１０６およびトナーも４色分用意して，現像器１０６を１色毎に９０度回転させることにより，４色の現像を行う。
【００１５】
また，カラー印刷の場合には，感光体ドラム１０９上では，モノクロ印刷の場合と全く同じ動作を４回行い，中間転写ベルト１１９上で，４色のトナーを掛け合わせて，４色目の転写が行われた後に記録紙に転写を行いカラー印刷を実現する。したがって，感光体ドラム１０９のクリーニング動作は，各色毎に行い，中間転写ベルト１１９のクリーニング動作は，４色目の転写の後の記録紙転写が終わった後に行うこととなる。
【００１６】
次に，デジタル複写機のコピー動作回数をカウントする方法について説明する。まず，デジタル複写機のカウンタについて説明する。デジタル複写機のカウンタは，１台のデジタル複写機が通算何回分のコピー動作が行われたかを示すカウンタと，ユーザにコピー動作の制限を行うためのカウンタとの２つに大別できる。
【００１７】
まず，デジタル複写機にて，通算何回のコピー動作がなされたかには，印刷終了時にインクリメントされるメカニカルなカウンタとＮＶＲＡＭなどに記憶する電気的なカウンタがあり，その両者ともに，製品納入時に０復帰がなされ，１回の印刷動作が終了するとカウンタ値が１つ加算される仕組みになっている。また，これらの用途としては，トータルカウンタ数によるサービスマンの定期点検の予定時期の推測や，カウントした値による課金の管理に使われる。
【００１８】
さらに，用紙サイズに対しても，コピー動作に対して２回分のカウントアップを行い，また，カラー印刷動作の場合には，カラー印刷の場合の１回の印刷に関わる料金の値段により，２回から４回分のカウントアップを行う方法と，モノクロ印刷用のカウンタとカラー印刷用のカウンタとの２つを用いる場合がある。さらに，トータルカウンタには，紙づまりの回数を数えるジャムカウンタと呼ばれるカウンタもあり，これは主にサービスマンが機械の故障診断を行うために用いられている。
【００１９】
上記トータルカウンタの処理について，図１１を参照して説明する。図１１は，従来のトータルカウンタの処理を示すフローチャートである。なお，図１１では，カラー印刷動作の場合のカウントアップを行う方法として説明する。
【００２０】
まず，デジタルカラー複写機は，ユーザがフルカラー印刷を設定，すなわちフルカラー印刷を行うか否かを判断し（Ｓ１１０１），フルカラー印刷でないと判断した場合，コピーの用意ができる状態（レディ状態）を待ち（Ｓ１１０２），用意ができたらトータルカウンタをインクリメントし（Ｓ１１０３），処理を終了する。
【００２１】
一方，ステップＳ１１０１において，フルカラー印刷であると判断した場合，，原稿読み取り動作の終了を待って（Ｓ１１０４），終了した後フルカラー印刷用のカウンタがあるか否かを判断し（Ｓ１１０５），あると判断した場合，フルカラー印刷用のカウンタをインクリントし（Ｓ１１０６），ないと判断した場合，カウントアップを行うようにトータルカウンタをあらかじめ設定した度数だけインクリメントし（Ｓ１１０７），処理を終了する。
【００２２】
次に，ユーザにコピー動作の制限を行うカウンタについて説明する。ユーザにコピー動作の制限を行うカウンタには，キーカウンタ，キーカード，コインラックなどがあり，これらは全て複数のユーザがそれぞれどのくらい複写機を使用したかを記憶しておき，その複写機使用に対する料金を課金する際に用いるものである。
【００２３】
次に，上記ユーザにコピー動作の制限を行うカウンタの処理の流れを図面を参照して説明する。図１２〜１４は，従来のユーザにコピー動作の制限を行うカウンタの処理を示すフローチャートである。まず，図１２に示すキーカウンタの場合について説明する。
【００２４】
デジタル複写機は，キーカウンタが入るまで待つ（Ｓ１２０１）。続いて，原稿読み取り動作が終了したか否かを判断し（Ｓ１２０２），終了した後，コピーがフルカラー印刷か否かを判断し（Ｓ１２０３），フルカラー印刷である場合，あらかじめ設定されたフルカラー印刷用の値でキーカウンタをインクリメントし（Ｓ１２０４），フルカラー印刷でない場合，キーカウンタをインクリメントし（Ｓ１２０５），処理を終了する。
【００２５】
次に，図１３に示すキーカードの場合について説明する。デジタルカラー複写機は，キーカードが入るまで待つ（Ｓ１３０１）。続いて，原稿読み取り動作が終了したか否かを判断し（Ｓ１３０２），終了した後，コピーがフルカラー印刷か否かを判断し（Ｓ１３０３），フルカラー印刷である場合，あらかじめ設定されたフルカラー用の値でキーカードをインクリメントし（Ｓ１３０４），フルカラー印刷でない場合，キーカードをインクリメントし（Ｓ１３０５），処理を終了する。
【００２６】
次に，図１４に示すコインラックの場合について説明する。デジタルカラー複写機は，コインラックに入金された料金が足りるか否かを判断し（Ｓ１４０１），料金が足りないと判断した場合，デジタルカラー複写機に備えた表示部（図示せず）などでアラート処理を行い（Ｓ１４０２），再びステップＳ１４０１に戻る。
【００２７】
一方，ステップＳ１４０１において，料金が足りていると判断した場合，原稿読み取り動作が終了したか否かを判断し（Ｓ１４０３），終了した後，コピーがフルカラー印刷か否かを判断し（Ｓ１４０４），フルカラー印刷である場合，あらかじめ設定されたフルカラー印刷分の料金値をコインラックの表示からデクリメントし（Ｓ１４０５），フルカラー印刷でない場合，モノクロ印刷分の料金値をコインラックの表示からデクリメントし（Ｓ１４０６），処理を終了する。
【００２８】
次に，デジタル複写機が有するファクシミリ機能について説明する。まず，ファクシミリ機能を行う際のカウンタの処理および課金の管理について，図１５を参照して説明する。図１５は，従来のデジタル複写機の制御部を示すブロック図である。
【００２９】
従来のデジタル複写機は，デジタル複写機の制御を行うＣＰＵ２０１と，ＣＰＵ２０１が行う制御のプログラムなどを記憶しているＲＯＭ２０２と，ユーザが設定した値や画像データなどを記憶するＲＡＭ２０３と，色補正処理，γ補正処理，ＭＴＦ補正処理，領域分離処理など，種々の画像処理を行う画像処理回路２０４と，接続されたコンピュータ（図示せず）から送られたデータに対応したフォントを記憶しているＦｏｎｔＲＯＭ２０５と，各種データをファクシミリ送受信するため符号化または復号化を行う符号化／復号化回路２０６と，公衆回線に接続され，符号化／復号化回路２０６で符号化または復号化された各種データをファクシミリ送受信するＭＯＤＥＭ２０７と，現像器１０６，感光体ドラム１０９，ＬＤ，ポリゴンミラー１１０などから構成される電子写真エンジン２０８と，電子写真エンジン２０８のためのインターフェースであるエンジンインターフェース（エンジンＩ／Ｆ）２０９とから構成されている。
【００３０】
次に，上記構成において動作を説明する。まず，ファクシミリ送信を行う場合には，図１０に示すスキャナユニット１５０にて画像を読み取り，ＣＣＤ１１６にて，デジタル信号に変換した後，受信相手のレベル（Ｇ３，Ｇ４など）に合わせて，符号化／復号化回路２０６でＭＨ，ＭＭＨなどの符号化を行い，図１５に示すブロック図のように，ＭＯＤＥＭ２０７を介して公衆回線または専用線に決められたプロトコルにしたがって送信を行う。この際には，デジタル複写機での印刷は行われていないので，全てのカウンタは，前述したようなインクリメントを行わない。
【００３１】
上記動作について，図１６を参照して説明する。図１６は，従来のデジタル複写機でファクシミリ送信を示したフローチャートである。まず，ＣＰＵ２０１は，操作部（図示せず）によってユーザに指定された電話番号にダイヤルを掛け（Ｓ１６０１），相手と繋がるのを待つ（Ｓ１６０２）。
【００３２】
続いて，相手と繋がった後，スキャナユニット１５０にて読み取った画像（データ）を符号化／復号化回路２０６でＭＨ，ＭＭＨなどの符号化を行い（Ｓ１６０３），ファクシミリ送信する（Ｓ１６０４）。
【００３３】
続いて，ＣＰＵ２０１は，次の原稿があるか否かを判断し（Ｓ１６０５），あると判断した場合，再びスキャナユニット１５０で原稿を読み取り（Ｓ１６０６），ステップＳ１６０３に戻り，ないと判断した場合，処理を終了する。
【００３４】
ファクシミリ機能でファクシミリを受信する場合には，送信相手から，受信データが来た時点で，デジタル複写機の電子写真エンジン２０８が他のユーザからのコピー動作などで現在使われているかどうか判断し，レディ状態，すなわち使用可能であると判断した場合には，ファクシミリ送信の場合と逆の手順にしたがって，符号化／復号化回路２０６で復号化を行い，ビットマップイメージのデータに変換し直して，印刷を行う。この際，紙づまりなどのエラーが発生せずに印刷動作が完了した時点で，各カウンタの値をインクリメントして処理を終了する。
【００３５】
また，受信データの受信があった時点でデジタル複写機の電子写真エンジン２０８がビジィ状態，すなわち使用不可能と判断した場合，メモリ受信などの代替受信の方法がある場合には，あらかじめ用意したメモリ（ＲＡＭ２０３）に一旦蓄えてから印刷を行い，代替受信の方法を持たない場合には，ファクシミリ送信の相手を待機状態（ウェイト）にさせて，デジタル複写機の電子写真エンジン２０８がレディ状態となってから印刷を行う。
【００３６】
上記動作について，図１７を参照して説明する。図１７は，従来のデジタル複写機でファクシミリ受信を示したフローチャートである。なお，図１７では，代替受信をＲＡＭ２０３で行うものとして，その処理を示す。まず，ＣＰＵ２０１は，ファクシミリ受信が発生すると（Ｓ１７０１），電子写真エンジン２０８がレディ状態か否かを判断する（Ｓ１７０２）。
【００３７】
続いて，ステップＳ１７０２において，電子写真エンジン２０８がレディ状態であると判断した場合，ファクシミリ受信を行い（Ｓ１７０３），受信したファクシミリデータを符号化／復号化回路２０６で復号化を行い（Ｓ１７０４），復号化した画像データを電子写真エンジン２０８で印刷を行う（Ｓ１７０５）。
【００３８】
続いて，印刷を行った後，カウンタのインクリメントを行い（Ｓ１７０６），次ページのファクシミリデータがあるか否かを判断し（Ｓ１７０７），あると判断した場合，ステップＳ１７０２に戻り，ないと判断した場合，処理を終了する。
【００３９】
一方，ステップＳ１７０２において，電子写真エンジン２０８がレディ状態でないと判断した場合，代替受信としてＲＡＭ２０３で受信（メモリ受信）を行い（Ｓ１７０８），電子写真エンジン２０８がレディ状態になるまで待ち（Ｓ１７０９），レディ状態になったら，ＲＡＭ２０３が記憶（代替受信）したファクシミリデータを符号化／復号化回路２０６で復号化を行い（Ｓ１７１０），復号化した画像データを電子写真エンジン２０８で印刷を行う（Ｓ１７１１）。
【００４０】
続いて，印刷を行った後，カウンタのインクリメントを行い（Ｓ１７１２），次ページのファクシミリデータがあるか否かを判断し（Ｓ１７１３），あると判断した場合，ステップＳ１７０９に戻り，ないと判断した場合，処理を終了する。
【００４１】
【発明が解決しようとする課題】
しかしながら，従来のデジタル複写機のキーカウンタ，キーカード，コインラックなどを使用した課金管理によれば，デジタル複写機のコピー動作のカウントを取るのみであり，デジタル複写機の持つ電子写真エンジンを何回使用したかをカウントするために用いられ，コピー動作が行われた時点で１度数インクリメントしているため，導入する企業，団体などで，コピー動作に関わる料金の課金管理は行うことが可能であるが，ファクシミリ機能を行う際の公衆回線利用料金に係わる課金管理は行えないという問題点あった。
【００４２】
また，コンビニエンスストアなどのコピーサービスを行う企業においても，デジタル複写機の持つコピー動作に係わる料金の課金管理しか行えないため，ファクシミリ機能を有しても顧客に使用させることが出来なかったり，デジタル複写機のファクシミリ機能が導入できないという問題点があった。
【００４３】
本発明は上記に鑑みてなされたものであって，複写機能だけでなく，ファクシミリ機能も合わせて課金管理を行えることを目的とする。
【００４４】
また，本発明は上記に鑑みてなされたものであって，通常の複写機能またはファクシミリ機能がカラー複写の場合であっても，容易に課金管理が行えることを目的とする。
【００４９】
【課題を解決するための手段】
上記の目的を達成するために，請求項１に係るデジタル複写機は，複写機能，ファクシミリ機能，カラー印刷機能などの複数の機能を有するデジタル複写機において，前記ファクシミリ機能を使用した際に発生する通信回線使用料を課金するためのテーブルデータを記憶するファクシミリ課金テーブル記憶手段と，あらかじめ設定した前記複写機能および単色印刷機能用の第１の度数を有し，前記複写機能および単色印刷機能を使用した際に前記第１の度数をカウントし前記カウントした第１の度数に基づいて課金の管理を行う第１の課金管理手段と，あらかじめ設定した前記カラー印刷機能用の第２の度数を有し，前記カラー印刷機能を使用した際に前記第２の度数をカウントし前記カウントした第２の度数に基づいて課金の管理を行う第２の課金管理手段と，を備え，前記第１の課金手段は，さらに前記ファクシミリ機能を使用した際に前記ファクシミリ課金テーブル記憶手段が記憶する前記テーブルデータによって通信回線使用料を算出して，算出した通信回線使用料に基づいて課金を管理するものである。
【００５０】
また，請求項２に係るデジタル複写機は，請求項１記載のデジタル複写機において，ファクシミリ機能でファクシミリ送信のみを使用した際に第１の課金管理手段で課金の管理を行うものである。
【００５１】
また，請求項３に係るデジタル複写機は，請求項１記載のデジタル複写機において，ファクシミリ機能でファクシミリ受信を使用した際，送信側でカラー印刷が指定されていた場合，第２の課金管理手段で課金の管理を行うものである。
【００５２】
【発明の実施の形態】
以下，本発明のデジタル複写機について，〔実施の形態１〕，〔実施の形態２〕，〔実施の形態３〕，〔実施の形態４〕，〔実施の形態５〕の順に，図面を参照して詳細に説明する。
【００５３】
〔実施の形態１〕
図１は，実施の形態１のデジタル複写機を示した構成図である。図示の如く，デジタル複写機は，あらかじめ多用されるサイズの記録紙がセットされ，所定のタイミングで指定のサイズ用紙を供給するための給紙カセット１０１と，記録紙上に転写されたトナー像に圧力をかけてトナーの定着動作を助ける加圧ローラ１０２と，記録紙上に転写されたトナーに熱を加え加圧ローラ１０２からの圧力を受けて熱と圧力とによりトナーの定着動作を行う定着ローラ１０３と，原稿に向けて光を照射し原稿を読み取る第１キャリッジ１０４と，原稿を読み取った際の光を反射させるミラーを内蔵する第２キャリッジ１０５と，トナーを内蔵する現像器１０６と，書き込みするデータを反射させる書き込みミラー１０７と，トナーが上部に飛散してしまった場合スキャナユニット１５０にトナーが上がらないようにするための防塵ガラス１０８と，表面に形成したトナー像を記録紙に転写するための感光体ドラム１０９と，ポリゴンモータ（図示せず）が高速回転することによりレーザダイオード（以下ＬＤと記し，図示せず）が発したレーザ光を感光体ドラム１０９の表面に露光させるためのポリゴンミラー１１０と，ポリゴンミラー１１０の反射面と感光体ドラム１０９の表面との距離を補正し感光体ドラム１０９の中央と端部との間隔を等間隔にするＦθレンズ１１１，１１２と，ポリゴンミラー１１０の動作に応じて感光体ドラム１０９上のレーザ光が副走査方向に変動することを補正するＢＴＬレンズ１１３と，露光に先行して感光体ドラム１０９の表面を帯電させる帯電チャージャ１１４と，第１キャリッジ１０４および第２キャリッジ１０５により露光され原稿を読み取った光の入射角度を変えるレンズ１１５と，第１キャリッジ１０４および第２キャリッジ１０５により原稿を読み取った画像データを一旦電気信号に変換するＣＣＤ（光電変換素子）１１６と，感光体ドラム１０９上に形成されたトナー像のうち転写しきれなかった残存トナーを除去するドラムクリーニングユニット１１７と，手差し用紙を挿入する手差し給紙台１１８と，感光体ドラム１０９上に形成されたトナー像を記録紙に転写するための中間転写ベルト１１９と，トナーの離形成をよくするために中間転写ベルト１１９表面にステアリン酸亜鉛を塗布する潤滑材塗布ブラシ１２０と，記録紙のスキュー修正，または，感光体ドラム１０９上のトナー画像先端と記録紙の先端を一致させるためのレジストローラ１２１と，下から鉛直方向へ給紙を助けるための中間ローラ１２２と，中間転写ベルト１１９内に設置されて記録紙面に感光体ドラム１０９上のトナー像を転写させる転写チャージャ１２３と，中間転写ベルト１１９上に形成されたトナー像を記録紙に転写する紙転写チャージャ１２４と，中間転写ベルト１１９上の未転写残存トナーを除去するためのベルトクリーニングユニット１２５と，転送ファン（図示せず）により記録紙を吸い付けて記録紙を定着ユニット（図示せず）へ送る搬送ベルト１２６と，原稿を載置するコンタクトガラス１２７と，複写および印刷した枚数をカウントするカウンタ１２８とから構成されている。
【００５４】
なお，実施の形態１のデジタル複写機は，カラー印刷ができるものとしているため，現像器１０６には，ＣＭＹＫ（シアン，マゼンタ，イエロー，ブラック）の４色のトナーを内蔵している。
【００５５】
次に，上記構成において，その基本動作を説明する。なお，ここでの基本動作の説明を簡単にするため，モノクロ印刷の場合を例として説明する。
【００５６】
ユーザが原稿をコンタクトガラス１２７上に載置し，デジタル複写機に備えられたコピーボタン（図示せず）を押下すると，第１キャリッジ１０４に備えたランプ（図示せず）が点灯して原稿を露光する。
【００５７】
続いて，露光された光は原稿によって反射され，その反射光が第２キャリッジ１０５およびレンズ１１５を介してＣＣＤ１１６に導かれる。なお，コンタクトガラス１２７上に置かれた原稿を全て読み取ることを可能とするため，第１キャリッジ１０４は副走査方向に移動するものである。
【００５８】
続いて，ＣＣＤ１１６が到達した反射光を光電変換して，電気的なデジタルデータ（画像データ）に変換する。光電変換によって得られた画像データは，色補正処理，γ補正処理，ＭＴＦ補正処理，領域分離処理など，種々の画像処理が施された後，ＬＤにて再び光に変換して発光する。
【００５９】
ＬＤで発光された光は，ポリゴンミラー１１０，Ｆθレンズ１１１，１１２，ＢＴＬレンズ１１３，書き込みミラー１０７，防塵ガラス１０８の各々のデバイスを介して導かれ感光体ドラム１０９を露光する。なお，感光体ドラム１０９表面は，あらかじめ帯電チャージャ１１４によりある一定の電荷に帯電されており，ＬＤからの露光によってその電荷が変化し，静電潜像が形成される。
【００６０】
ここで，感光体ドラム１０９表面の電荷について説明する。例えば，トナーを載せたい部分には露光をＯＮして，感光体ドラム１０９表面の電荷を＋（プラス）に帯電させる。なお，ここでは＋に帯電させているが，−（マイナス）電荷でも良いことは勿論である。このように感光体ドラム１０９の表面の電荷を変化させて電気的に作成した画像が静電潜像である。
【００６１】
感光体ドラム１０９は，コピー動作が開始されると図１０に示す矢印方向に回転を始め，ＬＤからの露光によって＋に帯電された部分が現像器１０６まで到達すると，現像器１０６の中にあらかじめ搭載され，露光させた電荷とは逆の電荷を帯びさせておいたトナー（この場合−電荷を帯びたトナー）が，露光されて＋電荷を帯びた部分に静電気力により付着する。
【００６２】
感光体ドラム１０９がさらに回転し中間転写ベルト１１９まで到達すると，中間転写ベルト１１９は，中間転写チャージャ１２３により，感光体ドラム１０９に帯電してある＋電荷よりも大きな＋電荷を帯電されているため，感光体ドラム１０９上に付着していたトナー（すなわち，トナー像）が中間転写ベルト１１９上に転写される。転写が終わった感光体ドラム１０９は，ドラムクリーニングユニット１１７によって付着している残存トナー（転写しきれなかったトナー）が除去され，次の印刷動作に備える。
【００６３】
続いて，トナー像が転写された記録紙は，搬送ベルト１２６により定着ローラ１０３と加圧ローラ１０２とから構成される定着ユニットまで搬送され，定着ローラ１０３および加圧ローラ１０２により高温および高圧がかけられトナー像を記録紙に融着させて，排紙されて１回のコピー動作が完了する。
【００６４】
なお，カラー印刷の場合には，印刷にＣＭＹＫの４色が必要なため，ＣＭＹＫの４色に応じてスキャナの読み取りを４回行い，現像器１０６およびトナーも４色分用意して，現像器１０６を１色毎に９０度回転させることにより，４色の現像を行う。
【００６５】
また，カラー印刷の場合には，感光体ドラム１０９上では，モノクロ印刷の場合と全く同じ動作を４回行い，中間転写ベルト１１９上で，４色のトナーを掛け合わせて，４色目の転写が行われた後に記録紙に転写を行いカラー印刷を実現する。したがって，感光体ドラム１０９のクリーニング動作は，各色毎に行い，中間転写ベルト１１９のクリーニング動作は，４色目の転写の後の記録紙転写が終わった後に行うこととなる。
【００６６】
次に，実施の形態１のデジタル複写機において，コピー動作に関する課金管理の方法について説明する。図２は，実施の形態１のデジタル複写機の制御部を示すブロック図である。実施の形態１のデジタル複写機は，デジタル複写機の制御を行うＣＰＵ２０１と，ＣＰＵ２０１が行う制御のプログラムなどを記憶しているＲＯＭ２０２と，ユーザが設定した値や画像データなどを記憶するＲＡＭ２０３と，色補正処理，γ補正処理，ＭＴＦ補正処理，領域分離処理など，種々の画像処理を行う画像処理回路２０４と，接続されたコンピュータ（図示せず）から送られたデータに対応したフォントを記憶しているＦｏｎｔＲＯＭ２０５と，各種データをファクシミリ送受信するため符号化または復号化を行う符号化／復号化回路２０６と，公衆回線に接続され，符号化／復号化回路２０６で符号化または復号化された各種データをファクシミリ送受信するＭＯＤＥＭ２０７と，現像器１０６，感光体ドラム１０９，ＬＤ，ポリゴンミラー１１０などから構成される電子写真エンジン２０８と，電子写真エンジン２０８のためのインターフェースであるエンジンインターフェース（エンジンＩ／Ｆ）２０９と，ファクシミリ送受信した際，課金の対象となるテーブルデータを記憶しているファクシミリ課金テーブル記憶部２１０と，複写機能およびファクシミリ機能を行った際，あらかじめ設定した度数をカウントする課金カウンタ２１１とから構成されている。
【００６７】
なお，ファクシミリ課金テーブル記憶部２１０によって本発明のファクシミリ課金テーブル記憶手段の役割を果たし，課金カウンタ２１１によって本発明の課金管理手段の役割を果たしている。
【００６８】
次に，上記構成においてコピー動作に関わる制御について説明する。コピー動作に関わる制御は，１回のコピー動作に関して，課金カウンタ２１１の度数を，あらかじめ設定した度数（実施の形態１では３度数）あげる。課金カウンタ２１１の度数をあげる処理としては，図１に示す給紙カセット１０１，レジストローラ１２１，搬送ベルト１２６，定着ローラ１０３でそれぞれ記録紙が搬送される部分に対してセンサ（図示せず）が取り付けられており，給紙された記録紙があらかじめ設定された規定の時間で通過しているかＣＰＵ２０１が判断し，判断した結果，規定の時間で通過している場合，課金カウンタ２１１の度数をあげる。
【００６９】
また，あらかじめ設定された規定の時間になっても記録紙が搬送されない，または，規定の時間以上に記録紙があると判断された場合，すなわち，記録紙の用紙ジャムが発生したと判断した場合，電子写真エンジン２０８の動作を止め，用紙ジャムが発生したというアラート処理を行うと同時に，それぞれ発生した場所のあらかじめ備えたジャムカウンタ（図示せず）を１度数あげる。
【００７０】
ジャムカウンタ，およびあらかじめ備えたトータルカウンタ（図示せず）は，図３に示すような構成で記憶する。図３は，ジャムカウンタおよびトータルカウンタが記憶する構成を示した説明図である。なお，実施の形態１でのカウンタは電子カウンタを用いているが，複写機能の動作が行われると同時に，複写機能の動作に基づく駆動力にてカウントするメカカウンタによる構成でも構わないことは，勿論である。
【００７１】
次に，ファクシミリ機能を行う際の課金カウンタ２１１の処理について説明する。まず，ファクシミリ送信を行う場合には，図１に示すスキャナユニット１５０にて画像を読み取り，ＣＣＤ１１６にて，デジタル信号に変換した後，受信相手のレベル（Ｇ３，Ｇ４など）に合わせて，符号化／復号化回路２０６でＭＨ，ＭＭＨなどの符号化を行い，図２に示すブロック図のように，ＭＯＤＥＭ２０７を介して公衆回線で決められたプロトコルにしたがって送信を行う。
【００７２】
次に，ファクシミリ受信する場合には，送信相手から受信データが来た時点で，デジタル複写機の電子写真エンジン２０８が他のユーザからのコピー動作などで，現在使われているか判断する。判断した結果，現在使われていない，すなわち，電子写真エンジン２０８がレディ状態である場合，ファクシミリ送信の場合と逆の手順にしたがって，受信データを符号化／復号化回路２０６で復号化を行い，さらに，ビットマップイメージのデータに変換して印刷を行う。なお，印刷した動作に対する課金は，複写機能の場合と同様に，課金カウンタ２１１の度数を３度数あげる。
【００７３】
また，受信データがあった時点でデジタル複写機の電子写真エンジン２０８がビジィ状態，すなわち使用不可能と判断した場合，メモリ受信などの代替受信の方法がある場合には，あらかじめ用意したメモリ（実施の形態１ではＲＡＭ２０３）に一旦蓄えてから印刷を行い，代替受信の方法を持たない場合には，ファクシミリ送信の相手を待機状態（ウェイト）にさせて，デジタル複写機の電子写真エンジン２０８がレディ状態となってから印刷を行う。
【００７４】
次に，実施の形態１のファクシミリ機能を使用した際の課金の処理について説明する。まず，ＣＰＵ２０１は，ファクシミリ送信かファクシミリ受信かの判断を行い，ＣＰＵ２０１が判断した結果，ファクシミリ受信の際には，コレクトコールでの使用許可などをした際による料金の課金を行い，それ以外の場合は，課金しないようにする。
【００７５】
ファクシミリ機能を使用した際の課金を行う場合には，ＭＯＤＥＭ２０７を介して通信回線が繋がったと同時に，デジタル複写機の内部に備えた時計機能を動作させ，回線が切れた時間を調べて，通信に関わる時間を測定する。測定した時間は，あらかじめファクシミリ課金テーブル記憶部２１０が記憶する課金の対象となるテーブルの設定を，図４に示すようなものに行い，時計機能で測定して得られた時間および通信した相手先がどの局番に相当する地域であるかを基に，公衆回線使用料金を算出する。図４は，ファクシミリ課金テーブル記憶部２１０が記憶する課金の対象となるテーブルデータを示した説明図である。
【００７６】
また，デジタル複写機の課金管理において，コピー動作に関する課金データは，１回のコピー動作に対してある決められた料金にあらかじめ設定するのに対して，ファクシミリ機能に関する課金データ（すなわち，公衆回線使用料金）は，通常日本国内では１０円単位で課金することになっているので，図４に示すような，ファクシミリ課金テーブル記憶部２１０を，１０円で回線が使用できる時間としてテーブルデータを用意する。
【００７７】
公衆回線使用料金を算出した後，課金カウンタ２１１の度数を公衆回線使用料金分（実施の形態１では，１０円＝２度数）あげる。なお，実施の形態１では，課金カウンタ２１１の度数を１度数＝５円とし，また，複写機能で行った１回の料金を１５円として設定し説明したが，それ以外であっても良いことは，勿論である。
【００７８】
前述したように，実施の形態１によれば，複写機能を行う毎に課金カウンタ２１１の度数をあげるとともに，ファクシミリ課金テーブル記憶部２１０を使用してファクシミリ送受信した場合にも課金カウンタ２１１の度数をあげ，課金カウンタ２１１の度数によって課金管理を行うものとしたため，デジタル複写機の持つファクシミリ機能に対しても課金管理を行うことができる。
【００７９】
〔実施の形態２〕
実施の形態２では，課金カウンタ２１１をＮＶＲＡＭ５０１に換えたものとして，説明する。なお，実施の形態２では，基本的に実施の形態１と同様であるため，異なる点のみ図面を参照して説明する。
【００８０】
図５は，実施の形態２のデジタル複写機の制御部を示すブロック図である。実施の形態２のデジタル複写機は，デジタル複写機の制御を行うＣＰＵ２０１と，ＣＰＵ２０１が行う制御のプログラムなどを記憶しているＲＯＭ２０２と，ユーザが設定した値や画像データなどを記憶するＲＡＭ２０３と，色補正処理，γ補正処理，ＭＴＦ補正処理，領域分離処理など，種々の画像処理を行う画像処理回路２０４と，接続されたコンピュータ（図示せず）から送られたデータに対応したフォントを記憶しているＦｏｎｔＲＯＭ２０５と，各種データをファクシミリ送受信するため符号化または復号化を行う符号化／復号化回路２０６と，公衆回線に接続され，符号化／復号化回路２０６で符号化または復号化された各種データをファクシミリ送受信するＭＯＤＥＭ２０７と，現像器１０６，感光体ドラム１０９，ＬＤ，ポリゴンミラー１１０などから構成される電子写真エンジン２０８と，電子写真エンジン２０８のためのインターフェースであるエンジンＩ／Ｆ２０９と，ファクシミリ送受信した際，課金の対象となるテーブルデータを記憶しているファクシミリ課金テーブル記憶部２１０と，複写機能およびファクシミリ機能を行った際，課金した料金とあらかじめ設定し使用した部門とを記憶するＮＶＲＡＭ５０１と，ファクシミリ送受信を使用している時間を計測するタイマー５０２とから構成されている。
【００８１】
なお，ＮＶＲＡＭ５０１によって，本発明の部門課金管理手段の役割を果たしている。
【００８２】
上記構成において，その動作を説明する。複写機能を使用する際には，実施の形態１と同様にコピー動作を行い，用紙ジャムなどの不具合が発生しない，すなわち，記録紙に複写が行われた場合，あらかじめ設定した基本複写使用料と枚数とを掛け複写した際の料金と，さらに使用した部門とを合わせてＮＶＲＡＭ５０１に記憶する。
【００８３】
次に，ファクシミリ機能を使用した際の課金について説明する。ファクシミリ送信の際には，図１に示すスキャナユニット１５０にて画像を読み取り，ＣＣＤ１１６にて，デジタル信号に変換した後，受信相手のレベル（Ｇ３，Ｇ４など）に合わせて，符号化／復号化回路２０６にて符号化され，一時的にＲＡＭ２０３に記憶される。
【００８４】
また，ＣＰＵ２０１は，その処理と同時に，ユーザから入力された電話番号をダイヤルしてファクシミリ送信する相手先と繋ぐ処理を行い，ファクシミリ送信の相手と繋がった時点で，受信相手のレベルによって決められたプロトコルにしたがい，ＲＡＭ２０３に記憶されてファクシミリデータを，ＭＯＤＥＭ２０７および公衆回線を介して相手に出力する。
【００８５】
さらに，ＣＰＵ２０１は公衆回線に繋がったと同時にタイマー５０２をスタートさせる。ＲＡＭ２０３内のファクシミリデータが全て相手に出力されると，通信終了の処理をして，回線を切断すると同時にタイマー５０２をストップさせる。なお，実施の形態２では，タイマー５０２を備えてファクシミリ機能の課金に対しての測定を行っているが，実施の形態１と同様にタイマー５０２を用いなくとも，デジタル複写機にあらかじめ備えた時計機能を用いてファクシミリ機能の課金に対しての測定を行っても良いことは，勿論である。
【００８６】
タイマー５０２が止まると，ＣＰＵ２０１は，ユーザから入力された電話番号の局番，および，タイマー５０２にて測定した時間から，ファクシミリ課金テーブル記憶部２１０が記憶したテーブルデータを参照して，ファクシミリ機能にて使用された公衆回線使用料金を算出して，使用した部門とともに公衆回線使用料金をＮＶＲＡＭ５０１に記憶する。
【００８７】
このときのＮＶＲＡＭ５０１は，図６に示されるようなテーブルデータとして構成され，あらかじめユーザによって登録されているそれぞれの部門毎の名前と，その部門にて使われたファクシミリ使用による公衆回線使用料金が記録されている。図６は，ＮＶＲＡＭ５０１が記憶している内容を示した説明図である。また，ＮＶＲＡＭ５０１は，ユーザの指定により，金額を０にクリアさせることもでき，月毎などの課金管理が行われたときに使用できるものとなっている。
【００８８】
次に，ファクシミリ受信する場合には，公衆回線を介してファクシミリ受信の通知が知らされると，ＭＯＤＥＭ２０７を介して画像データを受信して，符号化／復号化回路２０６にて，復号化を行いビットマップイメージに変換した後，ＲＡＭ２０３に一旦記憶される。続いて，ＲＡＭ２０３に１ページ分の画像データが記憶されると，ＣＰＵ２０１は他のユーザの操作で，電子写真エンジン２０８が使用中か判断し，使用可能状態（レディ状態）である場合には，エンジンＩ／Ｆ２０９を介して電子写真エンジン２０８に画像データを出力して，電子写真方式にて印刷を行う。なお，印刷された動作に対する課金は，前述した複写機能の場合と同様に，ＮＶＲＡＭ５０１に記憶する。
【００８９】
また，ファクシミリ受信する際に，コレクトコールなど受信する側が通信回線使用料金を支払う場合には，ファクシミリ受信が始まった時点で，送信時と同時にタイマー５０２をスタートさせ，さらに，ファクシミリ受信が終了し回線が切断された時点でタイマー５０２を止め，回線を利用した時間を計測する。計測された時間は，送信時と同様にファクシミリ課金テーブル記憶部２１０が記憶するテーブルデータを参照して公衆回線使用料金を算出して使用した部門とともに，ＮＶＲＡＭ５０１に記憶する。その際，特にユーザからの指定がない場合には，あらかじめ決められたデフォルトの部門が使用したものとして記憶される。
【００９０】
前述したように，実施の形態２によれば，複写機能およびファクシミリ機能を使用した際の課金を使用した部門とともにＮＶＲＡＭ５０１に記憶するため，使用した料金の提示が容易に行えるとともに，複写した際の動作のみの印刷枚数の管理だけでなく，ファクシミリ機能にて利用した公衆回線使用料金の課金管理も行え，かつ，部や課などの部門による管理も行える。
【００９１】
〔実施の形態３〕
実施の形態３では，デジタル複写機の複写機能とファクシミリ機能との課金管理を個別に行うものとして，説明する。なお，実施の形態３では，基本的に実施の形態１と同様であるため，異なる点のみ図面を参照して説明する。
【００９２】
図７は，実施の形態３のデジタル複写機の制御部を示すブロック図である。実施の形態３のデジタル複写機は，デジタル複写機の制御を行うＣＰＵ２０１と，ＣＰＵ２０１が行う制御のプログラムなどを記憶しているＲＯＭ２０２と，ユーザが設定した値や画像データなどを記憶するＲＡＭ２０３と，色補正処理，γ補正処理，ＭＴＦ補正処理，領域分離処理など，種々の画像処理を行う画像処理回路２０４と，接続されたコンピュータ（図示せず）から送られたデータに対応したフォントを記憶しているＦｏｎｔＲＯＭ２０５と，各種データをファクシミリ送受信するため符号化または復号化を行う符号化／復号化回路２０６と，公衆回線に接続され，符号化／復号化回路２０６で符号化または復号化された各種データをファクシミリ送受信するＭＯＤＥＭ２０７と，現像器１０６，感光体ドラム１０９，ＬＤ，ポリゴンミラー１１０などから構成される電子写真エンジン２０８と，電子写真エンジン２０８のためのインターフェースであるエンジンＩ／Ｆ２０９と，ファクシミリ送受信した際，課金の対象となるテーブルデータを記憶しているファクシミリ課金テーブル記憶部２１０と，複写機能および印刷機能を行った際，あらかじめ設定した課金する度数をカウントする複写印刷機能カウンタ７０１と，ファクシミリ機能を行った際，あらかじめ設定した課金する度数をカウントするファクシミリカウンタ７０２とから構成されている。
【００９３】
なお，複写印刷機能カウンタ７０１によって本発明の複写印刷機能カウント手段の役割を果たし，ファクシミリカウンタ７０２によって本発明のファクシミリ機能カウント手段の役割を果たしている。
【００９４】
次に，上記構成においてコピー動作に関わる制御について説明する。コピー動作に関わる制御は，１回のコピー動作に関して，複写印刷機能カウンタ７０１の度数を，あらかじめ設定した度数（実施の形態３では３度数）あげる。複写印刷機能カウンタ７０１の度数をあげる処理としては，実施の形態１と同様に，図１に示す給紙カセット１０１，レジストローラ１２１，搬送ベルト１２６，定着ローラ１０３でそれぞれ記録紙が搬送される部分に対してセンサ（図示せず）が取り付けられており，給紙された記録紙があらかじめ設定された規定の時間で通過しているかＣＰＵ２０１が判断し，判断した結果，規定の時間で通過している場合，複写印刷機能カウンタ７０１の度数をあげる。
【００９５】
次に，ファクシミリ機能を行う際の処理について説明する。まず，ファクシミリ送信を行う場合には，図１に示すスキャナユニット１５０にて画像を読み取り，ＣＣＤ１１６にて，デジタル信号に変換した後，受信相手のレベル（Ｇ３，Ｇ４など）に合わせて，符号化／復号化回路２０６でＭＨ，ＭＭＨなどの符号化を行い，図２に示すブロック図のように，ＭＯＤＥＭ２０７を介して公衆回線または専用線に決められたプロトコルにしたがって送信を行う。
【００９６】
次に，ファクシミリ受信する場合には，送信相手から受信データが来た時点で，デジタル複写機の電子写真エンジン２０８が他のユーザからのコピー動作などで，現在使われているか判断する。判断した結果，現在使われていない，すなわち，電子写真エンジン２０８がレディ状態である場合，ファクシミリ送信の場合と逆の手順にしたがって，受信データを符号化／復号化回路２０６で復号化を行い，さらに，ビットマップイメージのデータに変換して，印刷を行う。なお，印刷された動作に対する課金は，複写機能の場合と同様に，複写印刷機能カウンタ７０１の度数をあげる。
【００９７】
また，受信データがあった時点でデジタル複写機の電子写真エンジン２０８がビジィ状態，すなわち使用不可能と判断した場合，メモリ受信などの代替受信の方法がある場合には，あらかじめ用意したメモリ（ＲＡＭ２０３）に一旦蓄えてから印刷を行い，代替受信の方法を持たない場合には，ファクシミリ送信の相手を待機状態（ウェイト）にさせて，デジタル複写機の電子写真エンジン２０８がレディ状態となってから印刷を行う。
【００９８】
次に，実施の形態３のファクシミリ機能を使用した際の課金の処理について説明する。まず，ＣＰＵ２０１は，ファクシミリの課金を行うか行わないかの判断を行い，行うと判断した場合には，続いて，ファクシミリ送信かファクシミリ受信かの判断を行う。ＣＰＵ２０１が判断した結果，ファクシミリ受信の際には，コレクトコールでの使用許可などをした際による料金の課金を行い，それ以外の場合は，課金しないようにする。
【００９９】
ファクシミリ機能を使用した際の課金を行う場合には，ＭＯＤＥＭ２０７を介して通信回線が繋がったと同時に，デジタル複写機の内部に備えた時計機能を動作させ，回線が切れた時間を調べて，通信に関わる時間を測定する。測定した時間は，あらかじめファクシミリ課金テーブル記憶部２１０の課金の対象となるテーブルデータの設定を，図４に示すようなものに行い，時計機能で測定して得られた時間および通信した相手先がどの局番に相当する地域であるかを基に，公衆回線使用料金を算出する。
【０１００】
公衆回線使用料金を算出した後，ファクシミリカウンタ７０２の度数を公衆回線使用料金分（実施の形態３では，１０円＝２度数）あげる。なお，実施の形態３では，複写印刷機能カウンタ７０１およびファクシミリカウンタ７０２の度数を１度数＝５円とし，また，複写機能で行った１回の料金を１５円として設定し説明したが，それ以外であっても良いことは，勿論である。
【０１０１】
前述したように，実施の形態３によれば，複写機能の課金用に複写印刷機能カウンタ７０１を，また，ファクシミリ機能の課金用にファクシミリカウンタ７０２をそれぞれ備えたため，複写機能またはファクシミリ機能の課金料金が個別に出せるので，実施の形態１および実施の形態２よりも正確に課金管理が，容易に行える。
【０１０２】
また，複写印刷機能カウンタ７０１およびファクシミリカウンタ７０２をそれぞれ部門毎など複数のグループに分けて課金管理できるような構成とした場合には，１台のデジタル複写機を複数の部門で共有して使用する際などにおいての課金が正確に行える。
【０１０３】
〔実施の形態４〕
実施の形態４では，デジタル複写機で使用する印刷機能がカラーであり，複写機能およびファクシミリ機能を使用した際，カラーで印刷することとして説明する。なお，実施の形態４は，基本的に実施の形態２と同様であるため，異なる点のみ図面を参照して説明する。
【０１０４】
まず，実施の形態４で使用するカラー印刷の課金管理の概念から説明する。使用するデジタル複写機がカラー印刷できる場合においては，電子写真方式に関わる，帯電，露光，現像，転写ドラムクリーニングをそれぞれ４回に分けて行う必要があり，また，それに伴い，現像材，トナーなどの消耗品も４色ずつ必要なため，モノクロ印刷に比べて割高となるため，モノクロ印刷動作の課金と同一にすると，正確な課金が行えなくなってしまう。そのため，実施の形態４では，ＮＶＲＡＭ５０１が記憶する内容をカラー印刷に対応したものとする。
【０１０５】
デジタル複写機のカラー印刷の場合の動作において，モノカラー印刷（Ｒ（レッド），Ｇ（グリーン），Ｂ（ブルー），Ｃ（シアン），Ｍ（マゼンタ），Ｙ（イエロー），Ｋ（ブラック）のそれぞれ単色印刷）と，フルカラー印刷とでは，通常の場合，１枚のコピー動作に対して料金が異なっているため，ＮＶＲＡＭ５０１の構成は図８に示すように，あらかじめモノカラー印刷１枚当たりの単価と，フルカラー印刷１枚当たりの単価を記憶しておき，ユーザの操作によってモノカラー印刷が行われた場合には，通常のカラー電子写真方式による印刷を行うと同時に，そのコピー動作に関わる料金を図８に示すモノカラー印刷のテーブルデータから課金を行う部門のトータル料金へ加算を行い，ＮＶＲＡＭ５０１に記憶する。図８は，ＮＶＲＡＭ５０１が記憶している内容を示した説明図である。また，ＮＶＲＡＭ５０１は，ユーザの指定により，金額を０にクリアさせることもでき，月毎などの課金管理が行われたときに使用できるものとなっている。
【０１０６】
また，それと同時に，モノカラー印刷のトータルカウント枚数を複写枚数分加算し，この値は別途フィールドサービスマンなどがメンテナンスなどの参考値として使用する。また，フルカラー印刷の場合には，モノカラー印刷の場合と同様に，図８のフルカラー印刷の料金を使用して料金の加算を行い，さらに，フルカラー印刷トータル枚数の値を加算を行い，ＮＶＲＡＭ５０１に記憶する。
【０１０７】
次に，ファクシミリ機能を行った場合の課金管理は，送信する場合電子写真エンジンを使用することはないので，モノカラー，フルカラーに関係なく，実施の形態２と同様に，タイマー５０２にて計測した時間と，ファクシミリ課金テーブル記憶部２１０が記憶しているテーブルに基づいて公衆回線使用料金を算出して，ＮＶＲＡＭ５０１の該当する部門の値に加算して，ＮＶＲＡＭ５０１に記憶する。
【０１０８】
次に，モノカラー印刷のファクシミリの受信の際，通信の使用料金は課金されないため，モノカラー印刷で受信した場合には，図８に示すモノカラー印刷１枚当たりの料金のみが該当する部門に加算され，フルカラー印刷で受信した場合には，図８に示すフルカラー印刷１枚当たりの料金のみが，該当する部門に加算される。
【０１０９】
前述したように，実施の形態４によれば，ＮＶＲＡＭ５０１が記憶するテーブルデータに基づいて，モノカラー印刷またはフルカラー印刷の何方の場合でも，それぞれに対応した課金を行うため，複写機能およびファクシミリ機能について，カラー印刷に対応したデジタル複写機であっても容易に課金管理できる。
【０１１０】
さらに，ＮＶＲＡＭ５０１に，モノカラー印刷およびフルカラー印刷のトータル枚数も記憶することとしたため，例えば，フィールドサービスマンなどがメンテナンスなどの参考値として使用することができ，デジタル複写機のメンテナンスも容易に行うことができる。
【０１１１】
〔実施の形態５〕
実施の形態５では，デジタル複写機がカラー印刷対応している場合において，モノクロ印刷とカラー印刷の課金を個別に行うものとして説明する。なお，実施の形態５は，基本的に実施の形態４と同様であるため，異なる点のみ図面を参照して説明する。
【０１１２】
図９は，実施の形態５のデジタル複写機の制御部を示すブロック図である。実施の形態５のデジタル複写機は，デジタル複写機の制御を行うＣＰＵ２０１と，ＣＰＵ２０１が行う制御のプログラムなどを記憶しているＲＯＭ２０２と，ユーザが設定した値や画像データなどを記憶するＲＡＭ２０３と，色補正処理，γ補正処理，ＭＴＦ補正処理，領域分離処理など，種々の画像処理を行う画像処理回路２０４と，接続されたコンピュータ（図示せず）から送られたデータに対応したフォントを記憶しているＦｏｎｔＲＯＭ２０５と，各種データをファクシミリ送受信するため符号化または復号化を行う符号化／復号化回路２０６と，公衆回線に接続され，符号化／復号化回路２０６で符号化または復号化された各種データをファクシミリ送受信するＭＯＤＥＭ２０７と，現像器１０６，感光体ドラム１０９，ＬＤ，ポリゴンミラー１１０などから構成される電子写真エンジン２０８と，電子写真エンジン２０８のためのインターフェースであるエンジンインターフェース（エンジンＩ／Ｆ）２０９と，ファクシミリ送受信した際，課金の対象となるテーブルデータを記憶しているファクシミリ課金テーブル記憶部２１０と，複写機能でモノクロ印刷を使用する際，および，ファクシミリ機能を使用する際，あらかじめ設定した度数をカウントするモノクロ課金カウンタ９０１と，カラー印刷を使用する際，あらかじめ設定した度数をカウントするカラー課金カウンタ９０２とから構成されている。
【０１１３】
なお，モノクロ課金カウンタ９０１によって本発明の第１の課金管理手段の役割を果たし，カラー課金カウンタ９０２によって本発明の第２の課金管理手段の役割を果たしている。
【０１１４】
次に，上記構成においてコピー動作に関わる制御について説明する。コピー動作に関わる制御は，まず，コピー動作の指定がカラー印刷かモノクロ印刷かを判断し，カラー印刷の場合，１回のコピー動作に関して，カラー課金カウンタ９０２の度数を，あらかじめ設定した度数（実施の形態５では２５度数）あげる。また，モノクロ印刷の場合，カラー印刷の場合と同様に，１回のコピー動作に関して，モノクロ課金カウンタ９０１の度数を，あらかじめ設定した度数（実施の形態５では７度数）あげる。
【０１１５】
モノクロ課金カウンタ９０１およびカラー課金カウンタ９０２の度数をあげる処理としては，実施の形態１と同様に，図１に示す給紙カセット１０１，レジストローラ１２１，搬送ベルト１２６，定着ローラ１０３でそれぞれ記録紙が搬送される部分に対してセンサ（図示せず）が取り付けられており，給紙された記録紙があらかじめ設定された規定の時間で通過しているかＣＰＵ２０１が判断し，判断した結果，規定の時間で通過している場合，モノクロ課金カウンタ９０１およびカラー課金カウンタ９０２の度数をあげる。
【０１１６】
次に，ファクシミリ機能を行う際の処理について説明する。まず，ファクシミリ送信を行う場合には，図１に示すスキャナユニット１５０にて画像を読み取り，ＣＣＤ１１６にて，デジタル信号に変換した後，受信相手のレベル（Ｇ３，Ｇ４など）に合わせて，符号化／復号化回路２０６でＭＨ，ＭＭＨなどの符号化を行い，図９に示すブロック図のように，ＭＯＤＥＭ２０７を介して公衆回線または専用線に決められたプロトコルにしたがって送信を行う。
【０１１７】
次に，ファクシミリ受信する場合には，送信相手から受信データが来た時点で，デジタル複写機の電子写真エンジン２０８が他のユーザからのコピー動作などで，現在使われているか判断する。判断した結果，現在使われていない，すなわち，電子写真エンジン２０８がレディ状態である場合，ファクシミリ送信の場合と逆の手順にしたがって，受信データを符号化／復号化回路２０６で復号化を行い，さらに，ビットマップイメージのデータに変換して，印刷を行う。なお，印刷された動作に対する課金は，複写機能の場合と同様に，コピー動作の指定がカラー印刷かモノクロ印刷かを判断し，カラー印刷の場合カラー課金カウンタ９０２の度数を，また，モノクロ印刷の場合モノクロ課金カウンタ９０１の度数を，それぞれあげる。
【０１１８】
また，受信データがあった時点でデジタル複写機の電子写真エンジン２０８がビジィ状態，すなわち使用不可能と判断した場合，メモリ受信などの代替受信の方法がある場合には，あらかじめ用意したメモリ（ＲＡＭ２０３）に一旦蓄えてから印刷を行い，代替受信の方法を持たない場合には，ファクシミリ送信の相手を待機状態（ウェイト）にさせて，デジタル複写機の電子写真エンジン２０８がレディ状態となってから印刷を行う。
【０１１９】
次に，実施の形態５のファクシミリ機能を使用した際の課金の処理について説明する。まず，ＣＰＵ２０１は，ファクシミリの課金を行うか行わないかの判断を行い，行うと判断した場合には，続いて，ファクシミリ送信かファクシミリ受信かの判断を行う。ＣＰＵ２０１が判断した結果，ファクシミリ受信の際には，コレクトコールでの使用許可などをした際による料金の課金を行い，それ以外の場合は，課金しないようにする。
【０１２０】
ファクシミリ機能を使用した際の課金を行う場合には，ＭＯＤＥＭ２０７を介して通信回線が繋がったと同時に，デジタル複写機の内部に備えた時計機能を動作させ，回線が切れた時間を調べて，通信に関わる時間を測定する。測定した時間は，あらかじめファクシミリ課金テーブル記憶部２１０の課金の対象となるテーブルデータの設定を行い，時計機能で測定して得られた時間および通信した相手先がどの局番に相当する地域であるかを基に，公衆回線使用料金を算出する。
【０１２１】
公衆回線使用料金を算出した後，モノクロ課金カウンタ９０１の度数を公衆回線使用料金分（実施の形態５では，１０円＝１０度数）あげる。なお，実施の形態５では，モノクロ課金カウンタ９０１およびカラー課金カウンタ９０２の度数を１度数＝１円とし，また，モノクロ印刷のコピー動作で行った１回の料金を７円とし，さらに，カラー印刷のコピー動作で行った１回の料金を２５円として設定し説明したが，それ以外であっても良いことは，勿論である。また，モノクロ課金カウンタ９０１とカラー課金カウンタ９０２との度数を同一にせず，例えば，カラー課金カウンタ９０２の場合のみ１度数＝２５円として設定しても良いことは，勿論である。
【０１２２】
前述したように，実施の形態５によれば，モノクロ印刷およびファクシミリ機能の公衆回線使用料に関わる課金を管理するモノクロ課金カウンタ９０１と，カラー印刷に関わる課金を管理するカラー課金カウンタ９０２との２つのカウンタを用いることとしたため，モノクロ印刷あるいはカラー印刷の課金管理が容易に行えるとともに，正確な課金管理を行うことができる。
【０１２３】
さらに，ファクシミリ受信の際，送信側からカラー印刷を指定された場合には，印刷動作に関わる課金は，カラー課金カウンタ９０２にて行うこととしているため，より正確な課金管理が行えることができる。
【０１２８】
【発明の効果】
以上説明したように，本発明のデジタル複写機（請求項１）によれば，複写機能，ファクシミリ機能，カラー印刷機能などの複数の機能を有するデジタル複写機において，前記ファクシミリ機能を使用した際に発生する通信回線使用料を課金するためのテーブルデータを記憶するファクシミリ課金テーブル記憶手段と，あらかじめ設定した前記複写機能および単色印刷機能用の第１の度数を有し，前記複写機能および単色印刷機能を使用した際に前記第１の度数をカウントし前記カウントした第１の度数に基づいて課金の管理を行う第１の課金管理手段と，あらかじめ設定した前記カラー印刷機能用の第２の度数を有し，前記カラー印刷機能を使用した際に前記第２の度数をカウントし前記カウントした第２の度数に基づいて課金の管理を行う第２の課金管理手段と，を備え，前記第１の課金手段は，さらに、前記ファクシミリ機能を使用した際に前記ファクシミリ課金テーブル記憶手段が記憶する前記テーブルデータによって通信回線使用料を算出して，算出した通信回線使用料に基づいて課金を管理するため，課金管理が容易に行えるとともに，正確な課金管理を行うことができる。
【０１２９】
また，本発明のデジタル複写機（請求項２）によれば，請求項１記載のデジタル複写機において，ファクシミリ機能でファクシミリ送信のみを使用した際の課金管理を第１の課金管理手段で課金の管理を行うため，１つの課金管理で済み，また，誤った課金管理をせずに済むことができる。
【０１３０】
また，本発明のデジタル複写機（請求項３）によれば，請求項１記載のデジタル複写機において，ファクシミリ機能でファクシミリ受信を使用した際，ファクシミリ受信でカラー印刷を指定された場合，第２の課金管理手段で課金の管理を行うため，ファクシミリ機能でのカラー印刷の場合でも，容易に課金管理を行うことができる。
【図面の簡単な説明】
【図１】実施の形態１のデジタル複写機を示した構成図である。
【図２】実施の形態１のデジタル複写機の制御部を示すブロック図である。
【図３】ジャムカウンタおよびトータルカウンタが記憶する構成を示した説明図である。
【図４】ファクシミリ課金テーブル記憶部が記憶する課金の対象となるテーブルデータを示した説明図である。
【図５】実施の形態２のデジタル複写機の制御部を示すブロック図である。
【図６】ＮＶＲＡＭが記憶している内容を示した説明図である。
【図７】実施の形態３のデジタル複写機の制御部を示すブロック図である。
【図８】ＮＶＲＡＭが記憶している内容を示した説明図である。
【図９】実施の形態５のデジタル複写機の制御部を示すブロック図である。
【図１０】従来のデジタル複写機を示した構成図である。
【図１１】従来のトータルカウンタの処理を示すフローチャートである。
【図１２】従来のユーザにコピー動作の制限を行うキーカウンタの処理を示すフローチャートである。
【図１３】従来のユーザにコピー動作の制限を行うキーカードの処理を示すフローチャートである。
【図１４】従来のユーザにコピー動作の制限を行うコインラックの処理を示すフローチャートである。
【図１５】従来のデジタル複写機の制御部を示すブロック図である。
【図１６】従来のデジタル複写機でファクシミリ送信を示したフローチャートである。
【図１７】従来のデジタル複写機でファクシミリ受信を示したフローチャートである。
【符号の説明】
１０１    給紙カセット
１０２    加圧ローラ
１０３    定着ローラ
１０４    第１キャリッジ
１０５    第２キャリッジ
１０６    現像器
１０７    書き込みミラー
１０８    防塵ガラス
１０９    感光体ドラム
１１０    ポリゴンミラー
１１１，１１２    Ｆθレンズ
１１３    ＢＴＬレンズ
１１４    帯電チャージャ
１１５    レンズ
１１６    ＣＣＤ（光電変換素子）
１１７    ドラムクリーニングユニット
１１８    手差し給紙台
１１９    中間転写ベルト
１２０    潤滑材塗布ブラシ
１２１    レジストローラ
１２２    中間ローラ
１２３    転写チャージャ
１２４    紙転写チャージャ
１２５    ベルトクリーニングユニット
１２６    搬送ベルト
１２７    コンタクトガラス
１２８    カウンタ
２０１    ＣＰＵ
２０２    ＲＯＭ
２０３    ＲＡＭ
２０４    画像処理回路
２０５    ＦｏｎｔＲＯＭ
２０６    符号化／復号化回路
２０７    ＭＯＤＥＭ
２０８    電子写真エンジン
２０９    エンジンインターフェース（エンジンＩ／Ｆ）
２１０    ファクシミリ課金テーブル記憶部
２１１    課金カウンタ
５０１    ＮＶＲＡＭ
５０２    タイマー
７０１    複写印刷機能カウンタ
７０２    ファクシミリカウンタ
９０１    モノクロ課金カウンタ
９０２    カラー課金カウンタ
【図１】
0003591993.tif 000002
【図２】
0003591993.tif 000003
【図３】
0003591993.tif 000004
【図４】
0003591993.tif 000005
【図５】
0003591993.tif 000006
【図６】
0003591993.tif 000007
【図７】
0003591993.tif 000008
【図８】
0003591993.tif 000009
【図９】
0003591993.tif 000010
【図１０】
0003591993.tif 000011
【図１１】
0003591993.tif 000012
【図１２】
0003591993.tif 000013
【図１３】
0003591993.tif 000014
【図１４】
0003591993.tif 000015
【図１５】
0003591993.tif 000016
【図１６】
0003591993.tif 000017
【図１７】
0003591993.tif 000018